(57)【特許請求の範囲】
【請求項１】
ボックス状に形成され、前面および後面に取付口を形成した枠本体と、
当該枠本体の前記取付口にそれぞれ嵌め込まれ、取り付けられた複数のパチンコ機と、
前記枠本体の上部に配置され、遊技球を貯留する遊技球供給タンクと、
前記枠本体の上部に配置され、前記遊技球供給タンクに貯留された遊技球を前記複数のパチンコ機に供給する供給樋と、
前記複数のパチンコ機毎に設けられた複数の賞品球投入口と、
当該賞品球投入口に投入された賞品球をカウントする賞品球計数装置と、
前記枠本体の下部に配置され、前記複数のパチンコ機から排出された遊技球、および前記複数の賞品球投入口に投入された賞品球を回収する遊技球回収タンクと、
前記遊技球供給タンクと前記遊技球回収タンクの間に配置され、前記遊技球回収タンク内の遊技球を前記遊技球供給タンクまで搬送する揚上装置と、を備え、
前記賞品球計数装置は、前記複数の賞品球投入口に対し１台備えられており、
前記複数の賞品球投入口をそれぞれ開閉する複数の蓋部材と、
当該複数の蓋部材をそれぞれ閉鎖状態にロック・アンロックする複数のロック機構と、
当該複数のロック機構の１つがアンロック状態にある場合に、他の前記ロック機構をロック状態にする連動手段と、を更に備えたことを特徴とするパチンコ機取付ユニット。
【請求項２】
前記賞品球計数装置によりカウントされた賞品球の個数を印字してレシートを発行するレシート発行装置を更に備えたことを特徴とする請求項１に記載のパチンコ機取付ユニット。
【請求項３】
前記枠本体には球箱を載せるためのカウンタ台が設けられており、前記蓋部材は、当該カウンタ台の一部を構成すると共に、前後方向に摺動自在に配設されていることを特徴とする請求項１または２に記載のパチンコ機取付ユニット。
【請求項４】
前記枠本体の最上枠に、吊り上げ用の吊り金具を設けたことを特徴とする請求項１ないし３のいずれかに記載のパチンコ機取付ユニット。
【請求項５】
前記枠本体の最下枠に、移動用ローラを設けたことを特徴とする請求項１ないし４のいずれかに記載のパチンコ機取付ユニット。
【請求項６】
前記枠本体の側枠に、他のパチンコ機取付ユニットとの連結を可能にする連結手段を備えたことを特徴とする請求項１ないし５のいずれかに記載のパチンコ機取付ユニット。
【発明の詳細な説明】
【０００１】
【産業上の利用分野】
本発明は、多数のパチンコ機を列設させて、パチンコ島を作り出すためのパチンコ機取付ユニットに関するものである。
【０００２】
【従来の技術】
一般的な遊技場において、パチンコ島は、現場で材料を加工しながら組立てられる。従って、作業者には専門的な知識や熟練が要求され、工期も長く、トラブルも少なくなかった。そこで、この問題を解決するために、特公平５−２５５１７号公報に示すように、パチンコ島を幾つかに分割してユニット化し、現場での組み立て効率を向上させる技術が知られいる。
【０００３】
【発明が解決しようとする課題】
このような従来のユニットでは、一つのパチンコ島を構成するユニットが多種におよぶため、遊技場内のレイアウトが決定しないと、必要なユニットの種類を特定することができず、ユニットの量産化が図り難いといった問題点がある。更に、遊技場毎に揚上装置の位置が異なっているため、現場毎に、揚上装置を内蔵したユニットの変更が必要となり、量産化が図りにくいといった問題点がある。
【０００４】
また、景品と交換するための賞品球の入った重たい球箱を、利用者が持ち運ぶ手間を軽減するために、特公平５−６８９９９号公報には、カウンタ台に賞品球投入口を備え、この賞品球投入口に投入された賞品球をカウントしてレシートを発行する技術が開示されている。しかし、現場において、パチンコ島毎に賞品球計数装置やレシート発行装置の組付け作業が必要になり、工期を長引かせる原因になっている。
【０００５】
本発明は、以上のような課題を解決するためになされたもので、量産化を促進し、工期を短縮して、パチンコ島の設営コストを低減させるようにしたパチンコ機取付ユニットを提供することをその目的としている。
【０００６】
【課題を解決するための手段】
上記目的を達成すべく、本発明の請求項１に係るパチンコ機取付ユニットは、ボックス状に形成され、前面および後面に取付口を形成した枠本体と、枠本体の取付口にそれぞれ嵌め込まれ、取り付けられた複数のパチンコ機と、枠本体の上部に配置され、遊技球を貯留する遊技球供給タンクと、枠本体の上部に配置され、遊技球供給タンクに貯留された遊技球を複数のパチンコ機に供給する供給樋と、複数のパチンコ機毎に設けられた複数の賞品球投入口と、賞品球投入口に投入された賞品球をカウントする賞品球計数装置と、枠本体の下部に配置され、複数のパチンコ機から排出された遊技球、および複数の賞品球投入口に投入された賞品球を回収する遊技球回収タンクと、遊技球供給タンクと遊技球回収タンクの間に配置され、遊技球回収タンク内の遊技球を遊技球供給タンクまで搬送する揚上装置と、を備え、賞品球計数装置は、複数の賞品球投入口に対し１台備えられており、複数の賞品球投入口をそれぞれ開閉する複数の蓋部材と、複数の蓋部材をそれぞれ閉鎖状態にロック・アンロックする複数のロック機構と、複数のロック機構の１つがアンロック状態にある場合に、他のロック機構をロック状態にする連動手段と、を更に備えたことを特徴とする。
【０００７】
この場合、賞品球計数装置によりカウントされた賞品球の個数を印字してレシートを発行するレシート発行装置を更に備えることが好ましい。
【０００８】
これらの場合、枠本体には球箱を載せるためのカウンタ台が設けられており、蓋部材は、カウンタ台の一部を構成すると共に、前後方向に摺動自在に配設されていることが、好ましい。
【０００９】
またこれらの場合、枠本体の最上枠に、吊り上げ用の吊り金具を設け、或いは枠本体の最下枠に、移動用ローラを設けることが、好ましい。
【００１０】
さらにこれらの場合、枠本体の側枠に、他のパチンコ機取付ユニットとの連結を可能にする連結手段を備えることが、好ましい。
【００１１】
【作用】
請求項１のパチンコ機取付ユニットによれば、パチンコ機毎に設けられた賞品球投入口から投入された賞品球、及びパチンコ機から排出された遊技球（アウト球）は、遊技球回収タンクに回収されると共に、揚上装置により遊技球供給タンクに搬送され、貯留される。そして、この遊技球供給タンク内の遊技球は、供給樋を介して複数のパチンコ機に供給されるので、パチンコ機取付ユニット内で、遊技球を循環させることができ、大掛かりな遊技球供給装置を必要としない。また、大当たり等により、パチンコ機から大量の賞品球が払い出された場合でも、利用者の目の前に賞品球投入口が設けられているので、その都度、賞品球を賞品球投入口に投入することによって、賞品球の個数を賞品球計数装置でカウントすることができる。したがって、ユニットから出された球をこのユニット内に戻すことが可能になるので、ユニット内での遊技球の循環を促進し、しかも、賞品球の入った重たい球箱を、利用者が持ち運ぶ手間が省け、遊技場内の狭い通路に球箱が積まれて放置されることがなくなる。さらに、賞品球投入口を開閉する蓋部材を閉鎖状態にロックする任意の１つのロック機構がアンロック状態にある場合に、他のロック機構をロック状態にすることにより、２以上の賞品球投入口が同時に開放されることがなく、自分の賞品球と他人の賞品球とが一緒に計数されてしまうのを、防止することができる。また、複数の賞品球投入口に対して、単数の賞品球計数装置で対応させることができ、ユニット構成を単純化することができる。
【００１２】
請求項２のパチンコ機取付ユニットによれば、利用者は、賞品球計数装置によりカウントされた賞品球の個数が印字されたレシートを受け取ることができる。
【００１３】
請求項３のパチンコ機取付ユニットによれば、賞品球投入口に賞品球を投入する場合に、蓋部材を手前にスライドさせることにより、賞品球投入口が露出すると共に、蓋部材の上面に球箱を置くことができるので、賞品球投入口への球の投入が行い易くなる。
【００１４】
請求項４のパチンコ機取付ユニットによれば、ユニットをトラックへ積む場合、又はトラックからユニットを降ろす場合、吊り金具を利用して各ユニットの積み降ろしを行うことができるので、作業性が一層向上する。
【００１５】
請求項５のパチンコ機取付ユニットによれば、移動用ローラを利用することにより、遊技場内に運び込まれたユニットの移動や位置決めを簡単に行うことができる。
【００１６】
請求項６のパチンコ機取付ユニットによれば、連結手段を利用することにより、一つのパチンコ島を簡単な作業で作り出すことができる。
【００１７】
【実施例】
以下、添付図面を参照して、本発明のパチンコ機取付ユニットの好適な実施例について詳細に説明する。
【００１８】
図１は、パチンコ機を嵌め込んだ状態のパチンコ機取付ユニットを示す斜視図であり、同図に示すように、このパチンコ機取付ユニット１は、前後に２台ずつパチンコ機２を背合せ状態で列設させるための枠本体３を備えている。この枠本体３はボックス状に形成され、この前面及び後面の中央には、パチンコ機２が個別的に嵌め込まれる。また、枠本体３の前面及び後面には、球箱４を載せるためのカウンタ台５が固定されている。なお、枠本体３は、図示しない縦ビームや横ビームにより補強されている。
【００１９】
図２及び図３に示すように、枠本体３の前面中央には、２台のパチンコ機２を並列状態で嵌め込むためのパチンコ機取付口６，７が形成され、枠本体３の後面中央には、２台のパチンコ機２を並列状態で嵌め込むためのパチンコ機取付口８，９が形成されている。また、パチンコ機取付口６と８及びパチンコ機取付口７と９は、互いに対峙している。従って、各パチンコ機取付口６〜９にパチンコ機２を嵌め込んだとき、パチンコ機２を前２列、後２列の背合せ状態で列設させることができる。
【００２０】
また、枠本体３には、貨幣又は磁気カード等の挿入により、一定量の遊技球を利用者に貸し出すための遊技球貸出装置１０が固定されている。各遊技球貸出装置１０は、各パチンコ機取付口６〜９に隣接して設けられ、利用者の便宜を図っている。なお、遊技球貸出装置１０が一体に組み込まれたパチンコ機２を、パチンコ機取付ユニット１に嵌め込む場合においては、枠本体３に遊技球貸出装置１０を設けなくてもよいことは、言うまでもない。
【００２１】
前述の枠本体３の上部には、パチンコ機２及び遊技球貸出装置１０に遊技球を供給するための供給樋１１が傾斜して設けられている。この供給樋１１には、パチンコ機２に賞品球を供給するための賞品球受け皿１２、及び遊技球貸出装置１０に遊技球を供給するための遊技球受け皿１３がそれぞれ隣接して設けられている。更に、供給樋１１の上流端には、遊技球を貯留するための遊技球供給タンク１４が固設されている。そして、この遊技球供給タンク１４と供給樋１１とを連通させ、供給樋１１と賞品球受け皿１２及び遊技球受け皿１３とを連通させることにより、遊技球供給タンク１４から排出される遊技球は、供給樋１１を流下しながら、賞品球受け皿１２及び遊技球受け皿１３に適宜供給される。
【００２２】
なお、遊技球供給タンク１４の容量は、以下の要素に基づいて決定されるものである。▲１▼パチンコ機の大当り状態のときの、球の払出し能力、▲２▼該当するパチンコ機の台数、▲３▼遊技球揚上装置の揚上能力。また、遊技球供給タンク１４内には、このタンク１４内の球の量を検出するための下限センサ１７ａ及び上限センサ１７ｂが設けられている。
【００２３】
前述の枠本体３の下部には、後述する賞品球投入口４０から投入された賞品球、及びパチンコ機２から排出されたアウト球を貯留するための遊技球回収タンク１５が設けられている。この遊技球回収タンク１５は、傾斜しており、その下流端には、このタンク１５内の球の量を検出するための下限センサ２０ａ及び上限センサ２０ｂが設けられている。
【００２４】
前述の枠本体３の側部には、遊技球供給タンク１４と遊技球回収タンク１５とを連結して、遊技球回収タンク１５内の遊技球を遊技球供給タンク１４まで搬送する揚上装置１６が設けられている。この揚上装置１６は、遊技球供給タンク１４と遊技球回収タンク１５との間に架け渡された筒体１７と、この筒体１７内に延在するスパイラル状の回転軸１８と、この回転軸１８を駆動させるモータ１９とを備えている。従って、遊技球供給タンク１４の下限センサ１７ａの作動により、モータ１９が駆動し、回転軸１８の回転により、筒体１７内で遊技球を揚上させることができる。そして、遊技球回収タンク１５内の遊技球を遊技球供給タンク１４まで搬送させた後、上限センサ１７ｂの作動により、モータ１９の駆動を停止させる。なお、揚上装置１６としては、遊技球研磨機能を内蔵したものが、より好ましい。
【００２５】
前述したように、枠本体３内に、遊技球供給タンク１４と遊技球回収タンク１５と揚上装置１６とを備えることにより、遊技球を、遊技球回収タンク１５内に貯留させることができる共に、揚上装置１６により遊技球供給タンク１４内にも貯留させることができる。そして、この遊技球供給タンク１４内の遊技球は、パチンコ機２及び遊技球貸出装置１０に供給されているので、パチンコ機取付ユニット１内で、遊技球を循環させることができ、大掛かりな遊技球供給装置を必要としない。
【００２６】
次に、パチンコ機取付ユニット１内で、賞品球を計数してレシートを発行する構成について説明する。
【００２７】
図１及び図２に示すように、各パチンコ機取付口６〜９に対峙する位置において、カウンタ台５には、４つの賞品球投入口４０が設けられている。各賞品球投入口４０は、遊技球回収タンク１５の上方に配置されると共に、カウンタ台５の一部を構成する蓋部材２２により開閉自在になっている。この蓋部材２２は、ガイドレール２３によって、前後方向に摺動自在に構成されている。従って、利用者の目の前に設けられた蓋部材２２を手前に引くことにより、賞品球投入口４０を出現させることができると共に、蓋部材２２の上面にも球箱４を置くことができる。また、蓋部材２２を前方に押し戻すことにより、賞品球投入口４０は塞がれて、蓋部材２２の上面とカウンタ台５の上面とが面一になる。
【００２８】
更に、図２及び図３に示すように、枠本体３内には、賞品球投入口４０と遊技球回収タンク１５とを連通させるための賞品球回収樋２４と、パチンコ機２のアウト球排出口（図示せず）と遊技球回収タンク１５とを連通させるためのアウト球排出筒２８とが別個に設けられている。この賞品球回収樋２４の上方には賞品球投入口４０が位置し、賞品球回収樋２４の下方には遊技球回収タンク１５が位置している。従って、賞品球投入口４０から投入された賞品球は、賞品球回収樋２４を介して遊技球回収タンク１５に流れ、パチンコ機２から排出されたアウト球も、アウト球排出筒２８を介して遊技球回収タンク１５に流すことができる。
【００２９】
また、賞品球回収樋２４の下流端には、ここを流下する賞品球をカウントするための賞品球計数装置２５が設けられている。そして、枠本体３の上部には、４台のパチンコ機２に対応して４台のレシート発行装置２６及び計数表示部２９が設けられている。また、各レシート発行装置２６及び計数表示部２９は、図示しない制御装置を介して賞品球計数装置２５に電気的に接続されている。従って、賞品球計数装置２５よりカウントされた賞品球の個数は、計数表示部２９に表示されると同時に、レシート発行装置２６により印字されて、レシート口２７から排出され、利用者に渡される。
【００３０】
前述したように、枠本体３内に、賞品球投入口４０と賞品球計数装置２５とレシート発行装置２６とを備えることにより、パチンコ機取付ユニット１から排出された賞品球は、このユニット１に戻されることになる。従って、各ユニット１内での遊技球の循環を促進し、しかも、賞品球の入った重たい球箱を、利用者が持ち運ぶ手間が省け、遊技場内の狭い通路に球箱が積まれて放置されることがなくなる。
【００３１】
なお、前述した賞品球計数装置２５は、枠本体３内に一個設けているが、この場合、複数の賞品球投入口４０からの同時投入を防止するために、４個の賞品球投入口４０のうちの一つ蓋部材２２が開いている時、他の３個の蓋部材２２は、開けられないようにする必要がある。そこで、図３に示すように、各蓋部材２２には、ソレノイド等によりその閉塞（賞品球投入口４０の閉塞）をロック・アンロックするロック機構５０が設けられており、このロック機構（ソレノイド）５０はコントローラ（連動手段）５１に接続されている。そして、各ロック機構５０を介してコントローラ５１は、全ての蓋部材２２が閉塞しているときに、これらをアンロック状態にしておき、いずれか１の蓋部材２２が開放されたときに、他の３つの蓋部材２２をロック状態にする。なお、賞品球回収樋２４及び賞品球計数装置２５を個別的に設けた場合には、前述のロック機構５０およびコントローラ５１は必要ない。
【００３２】
ここで、図１に示すように、枠本体３の最上枠３ａすなわち天板の四隅には、吊り金具の一例としてのアイボルト３０が固設されている。従って、パチンコ機取付ユニット１をトラックへ積む場合、又はトラックからパチンコ機取付ユニット１を降ろす場合、アイボルト３０を利用して素早い積み降しが可能になる。
【００３３】
また、図２及び図３に示すように、枠本体３の最下枠３ｂすなわち底板の四隅には、移動用ローラの一例としてのローラキャスタ３１が固設されている。従って、このローラキャスタ３１を利用することにより、遊技場内に運び込まれたパチンコ機取付ユニット１の移動や位置決めを簡単に行うことができる。更に、最下枠３ｂには、パチンコ機取付ユニット１を固定して水平出しを行うためのレベル具３２が固設されている。従って、パチンコ機取付ユニット１を所定場所まで搬送した後、脚部３２ａをねじ出しすることにより、ローラキャスタ３１を持ち上げることができ、パチンコ機取付ユニット１の固定やレベル合せを簡単に行うことができる。
【００３４】
更に、図１に示すように、枠本体３の両側枠３ｃすなわち両側板には、連結ボルト（図示せず）を螺合させるための連結穴（連結手段）３３が形成され、一方の側枠３ｃの内壁面には、各連結穴３３に位置合わせされたナット（連結手段）３４が固着されている。従って、パチンコ機取付ユニット１同士を隣接させた後、連結穴３３に連結ボルトを螺入させることにより、隣接するパチンコ機取付ユニット１同士を確実に連結固定させることができる。そして、このような作業を連続して行うことにより、任意の長さのパチンコ島を簡単な作業で作り出すことができる。なお、前述した連結手段として、ワンタッチでパチンコ機取付ユニット１同士を連結できる構成を採用してもよい。
【００３５】
本発明は、前述した実施例に限定されるものではなく、パチンコ機取付ユニット１に２台以上のパチンコ機２を取り付けることができる構成であれば、パチンコ機取付口の個数に制限はない。また、遊技場内の壁にパチンコ機を設営する場合、パチンコ機２を背合せ状態にする必要はなく、片面にパチンコ機取付口を形成したパチンコ機取付ユニット１でもよい。
【００３６】
更に、枠本体３内に設置した遊技球供給タンク１４及び遊技球回収タンク１５の容量を比較的小さく設定した場合、パチンコ機２からの球の出方や賞品球投入口４０への球の投入個数によっては、遊技球供給タンク１４と遊技球回収タンク１５とが同時に空になったり満杯になったりすることがある。そこで、遊技場の天井等に遊技球供給装置及び遊技球排出装置を設けて、その都度、これら装置の稼動により、タンク１４又はタンク１５に遊技球を供給したり、タンク１４又は１５から遊技球を抜き取るようにしてもよい。
【００３７】
【発明の効果】
以上のように本発明のパチンコ機取付ユニットによれば、パチンコ機取付ユニット毎に遊技球を循環させ、更に、パチンコ機の前で遊技している各遊技者毎に、賞品球の個数を印字したレシートを発行するように構成しているので、遊技球の抜取りや補給が不要、若しくはこれらの回数を極めて少なくすることができる。更に、パチンコ機取付ユニットの単一化を図っているので、故障が発生した場合、ユニット毎に対処すればよく、交換作業が簡単で、故障の被害を最小限に留めることができる。しかも、量産化が促進され、工期も短縮し、パチンコ島の設営コストが低減するといった効果を有する。
【図面の簡単な説明】
【図１】本発明のパチンコ機取付ユニットの一実施例を示す斜視図である。
【図２】図１に示したユニットの前面板を外した状態を示す正面図である。
【図３】図１に示したユニットの側板を外した状態を示す側面図である。
【符号の説明】
１    パチンコ機取付ユニット
２    パチンコ機
３    枠本体
３ａ    最上枠
３ｂ    最下枠
３ｃ    側枠
５    カウンタ台
１０    遊技球貸出装置
１４    遊技球供給タンク
１５    遊技球回収タンク
１６    揚上装置
２２    蓋部材
２４    賞品球回収樋
２５    賞品球計数装置
２６    レシート発行装置
３０    吊り金具
３１    移動用ローラ
３３，３４    連結手段
４０    賞品球投入口
【図１】
0003580382.tif 000002
【図２】
0003580382.tif 000003
【図３】
0003580382.tif 000004